(57)【要約】【課題】複数の回路へ熱伝達しつつ、一方の回路が停止したときの過熱を防止した熱交換器を得る。【解決手段】熱媒体Ａ２が流通するとともに、第１または第２の被加熱液Ｗａ、Ｗｂが択一的に流通する熱交換器であって、被加熱液Ｗａが流通するための被加熱液流路１２ａと、被加熱液流路１２ａに隣り合うように設けられ被加熱液Ｗｂが流通するための被加熱液流路と、被加熱液流路１２ａまたは被加熱液Ｗｂの被加熱液流路１２の一方のみを塞ぐ大きさを有し熱媒体Ａ２が流通する可動式の熱媒体流路１１とを備えている。熱媒体流路１１は、被加熱液流路１２ａまたは被加熱液Ｗｂの被加熱液流路を行き来することにより、一方の流路を塞いで、他方の流路のみを有効化する。【選択図】図１
2010038485.tif 000002
【特許請求の範囲】
【請求項１】
熱媒体が流通するとともに、第１または第２の被加熱液が択一的に流通する熱交換器であって、
前記第１の被加熱液が流通するための第１の部屋と、
前記第１の部屋に隣り合うように設けられ前記第２の被加熱液が流通するための第２の部屋と、
前記第１または第２の部屋の一方のみを塞ぐ大きさを有し前記熱媒体が流通する可動式の冷媒回路とを備え、
前記冷媒回路は、前記第１および第２の部屋を行き来することにより、前記第１または第２の部屋の一方を塞いで、他方の部屋のみを有効化することを特徴とする熱交換器。
【請求項２】
前記第１の部屋は、前記第１の被加熱液を流入および流出する第１の出入口を有し、
前記第２の部屋は、前記第２の被加熱液を流入および流出する第２の出入口を有し、
前記冷媒回路は、前記熱媒体が流通する熱媒体流路を有し、前記第１または第２の部屋の一方を塞いだ場合に、前記第１または第２の出入口の一方を塞ぐとともに、前記第１または第２の出入口の他方を開放することを特徴とする請求項１に記載の熱交換器。
【請求項３】
前記第１の被加熱液は、給湯回路用の第１の被加熱液であり、
前記第２の被加熱液は、暖房回路用または風呂回路用の被加熱液であることを特徴とする請求項１または請求項２に記載の熱交換器。
【請求項４】
前記冷媒回路は、前記第１および第２の部屋の天地が反転されることにより、前記第１または第２の部屋の一方を択一的に有効化することを特徴とする請求項１から請求項３までのいずれか１項に記載の熱交換器。
【発明の詳細な説明】
【技術分野】
【０００１】
この発明は、熱媒体の熱を複数の回路へ伝達する機能を有する熱交換器に関するものである。
【背景技術】
【０００２】
一般に、浴室や台所に温水を供給する給湯器は、電気給湯器、ガス給湯器、石油給湯器などに大別されるが、いずれにおいても、熱を水に伝えるための熱交換器と呼ばれる部分が存在する。
電気給湯器の中でも、最近特に、省エネや地球温暖化対策として、二酸化炭素削減の観点から、ヒートポンプ熱交換式の電気給湯器（ヒートポンプ給湯器）が注目されている。ヒートポンプ給湯器の原理は、大気の熱を熱媒体に移し、熱媒体の熱でお湯を沸かすものである。
【０００３】
具体的に言えば、気体を圧縮したときに発生する高熱を水へ移し、冷却後の気体を膨張させたときの冷気によって、再び熱媒体の温度を大気温まで戻す、というサイクルの繰り返しによるものである。理論上、投入エネルギー以上の熱エネルギーを取り出すことはできないが、ヒートポンプ給湯器は、大気の熱を活用する仕組みであることから、運転に要するエネルギーよりも多くの熱エネルギーを利用することができる。
【０００４】
また、近年では、このようなヒートポンプ給湯器を用いて、給湯と暖房、または給湯と風呂浴槽水など、複数回路の加熱を行う装置が提供されている（たとえば、特許文献１参照）。
通常、複数回路のそれぞれの用途に対して、熱交換器を個別に設置してシステムを構成すると、回路が複雑になるうえ、装置の設置面積または体積が増大する。
これに対し、特許文献１に記載の熱交換器においては、熱媒体回路が円管で形成され、この熱媒体回路の中に、円管で形成された給湯回路および浴槽回路が設置されている。
【０００５】
【特許文献１】特開２００３−６５６０２号公報
【発明の開示】
【発明が解決しようとする課題】
【０００６】
従来の熱交換器は、特許文献１のように、熱媒体回路と給湯回路および浴槽回路とが常に接触した状態にあるので、たとえば給湯回路の停止中に浴槽回路が起動している場合に、給湯回路内の湯温が上がりすぎて、最悪の場合には沸騰してしまう可能性があるという課題があった。
また、湯温が上がりすぎると、炭酸塩結晶（スケールと呼ばれる）が析出し、熱交換流路に付着して熱交換器の能力低下を招きやすいという課題があった。
【０００７】
この発明は、上記のような課題を解決するためになされたものであり、複数の回路へ熱伝達しつつ、一方の回路が停止したときの過熱を防止した熱交換器を得ることを目的とする。
【課題を解決するための手段】
【０００８】
この発明による熱交換器は、熱媒体が流通するとともに、第１または第２の被加熱液が択一的に流通する熱交換器であって、第１の被加熱液が流通するための第１の部屋と、第１の部屋に隣り合うように設けられ第２の被加熱液が流通するための第２の部屋と、第１または第２の部屋の一方のみを塞ぐ大きさを有し熱媒体が流通する可動式の冷媒回路とを備え、冷媒回路は、第１および第２の部屋を行き来することにより、第１または第２の部屋の一方を塞いで、一方の部屋のみを有効化するものである。
【発明の効果】
【０００９】
この発明によれば、複数の回路へ熱伝達しつつ、一方の回路が停止したときの過熱を防止することができる。
【発明を実施するための最良の形態】
【００１０】
実施の形態１．
以下、図１および図２を参照しながら、この発明の実施の形態１の構成および動作について説明する。
図１は、この発明の実施の形態１に係る熱交換器を概略的に示すブロック構成図であり、熱交換器を含む暖房給湯装置１００とともに示している。
【００１１】
図１において、暖房給湯装置１００は、外気の熱を熱媒体Ａに移すための空気−熱媒体熱交換器９１と、外気熱が与えられた熱媒体Ａ１を圧縮して高熱を発生させるための圧縮機９２と、圧縮後の熱媒体Ａ２の高熱で被加熱液（水）Ｗａを加熱するための熱媒体−水熱交換器１と、熱媒体−水熱交換器１を通過した熱媒体Ａ３を冷却するための膨張弁９３とを備えている。
【００１２】
熱媒体−水熱交換器１は、熱媒体Ａ２を流通させるとともに、給湯機（図示せず）を含む給湯回路用の被加熱液Ｗａまたは暖房機９８を含む暖房回路用の被加熱液Ｗｂを流通させる流路１２を備えている。
また、熱媒体−水熱交換器１は、流路１２の内部に可動式（破線矢印参照）の熱媒体流路１１が設けられて、二重構造を有している。熱媒体流路１１は、熱媒体入口配管９４および熱媒体出口配管９５と接続されており、熱媒体流路１１の上端から下端に向けて熱媒体Ａ２を通過させるように構成されている。
【００１３】
空気−熱媒体熱交換器９１、圧縮機９２、熱媒体−水熱交換器１および膨張弁９３は、上記の順に接続されて冷熱サイクルを形成しており、最後に膨張弁９３で冷却された熱媒体Ａは、空気−熱媒体熱交換器９１へ繰り返し導入される。
【００１４】
また、具体的には、熱媒体−水熱交換器１へ熱媒体Ａ２を導入する熱媒体入口配管９４は、圧縮機９２を介して空気−熱媒体熱交換器９１へと接続されている。
一方、熱媒体−水熱交換器１から熱媒体Ａ３を取り出すための熱媒体出口配管９５は、膨張弁９３を介して空気−熱媒体熱交換器９１へと接続されている。
【００１５】
熱媒体流路１１のＹ方向長さおよびＺ方向幅は、流路１２の内面のＹ方向長さおよびＺ方向幅と同一値に設定されており、流路１２の内面に密着している。
また、熱媒体流路１１のＸ方向幅は、流路１２の内面のＸ方向幅の１／２に設定されており、流路１２内を左右（Ｘ方向）に行き来するように構成されている。なお、熱媒体流路１１の移動は、後述するように、重力方向に対する天地切り替えによって行うものとする。
【００１６】
流路１２において、熱媒体流路１１で塞がれた部分以外の空間は、被加熱液流路１２ａを形成しており、被加熱液Ｗａを導くための被加熱液入口配管９６ａと、給湯回路用に被加熱液（湯）Ｗａを取り出すための被加熱液出口配管９７ａとに接続されている。
【００１７】
また、流路１２には、暖房回路用の被加熱液（水）Ｗｂを導くための被加熱液入口配管９６ｂと、暖房用の湯を取り出すための被加熱液出口配管９７ｂとが接続されている。被加熱液入口配管９６ｂおよび被加熱液出口配管９７ｂは、暖房機９８を介して連通している。
図１の状態では、被加熱液入口配管９６ｂおよび被加熱液出口配管９７ｂは、熱媒体流路１１で内部が塞がれた側の部位に接続されているので、給湯回路用の水（湯）Ｗａは流通するものの、暖房回路用の被加熱液Ｗｂは流通しない。
【００１８】
なお、図１では、熱媒体−水熱交換器１において、熱媒体Ａ２と被加熱液Ｗａとが対向方向に流れて隣接する例を示したが、両者が並行方向に流れて隣接するように構成してもよい。
また、被加熱液出口配管９７ａおよび被加熱液入口配管９６ａを給湯タンク（図示せず）に接続させて、加温済みの被加熱液（湯）Ｗａが熱媒体−水熱交換器１を循環するように構成してもよい。
【００１９】
図２は図１の状態から熱媒体−水熱交換器１を切り替えた場合を示すブロック構成図である。
図２においては、熱媒体流路１１が流路１２内を左側に移動し、図１内の被加熱液流路１２ａが熱媒体流路１１で塞がれ、反対側に被加熱液流路１２ｂが形成された状態が示されている。他の構成は、図１と同様である。
【００２０】
被加熱液流路１２ｂには、暖房機９８を有する暖房回路用の被加熱液Ｗｂを導くための被加熱液入口配管９６ｂと、暖房回路用の被加熱液（湯）Ｗｂを取り出すための被加熱液出口配管９７ｂとが接続されている。
一方、給湯回路用の被加熱液Ｗａを導くための被加熱液入口配管９６ａと、給湯回路用の被加熱液（湯）Ｗａを取り出すための被加熱液出口配管９７ａが接続された部位は、熱媒体流路１１で塞がれているので、給湯回路用の被加熱液（水）Ｗａは流通しない。
【００２１】
すなわち、流路１２においては、給湯回路用の第１の部屋（流路）として、被加熱液流路１２ａが形成されるとともに、被加熱液流路１２ａ（第１の部屋）に隣り合うように設けられた暖房回路用の第２の部屋（流路）として、被加熱液流路１２ａが形成される。
熱媒体流路１１（冷媒回路）は、被加熱液流路１２ａ、１２ｂ（第１、第２の部屋）の一方の部屋がちょうど塞がる大きさ（Ｘ方向幅が流路１２の１／２）を有し、被加熱液流路１２ａ、１２ｂ（第１、第２の部屋）を行き来することにより、一方の部屋を有効にする。
【００２２】
なお、図１、図２には図示しないが、暖房給湯装置１００は、熱媒体−水熱交換器１、圧縮機９２、膨張弁９３および暖房機９８などを駆動制御するためのコントローラ（マンマシンインタフェースを有するマイクロコンピュータ）を備えていることは言うまでもない。
【００２３】
次に、図１および図２を参照しながら、この発明の実施の形態１による熱媒体−水熱交換器１（熱交換器）および暖房給湯装置１００の動作について説明する。
まず、図１において、空気−熱媒体熱交換器９１で外気の熱を吸収した熱媒体Ａ１は、空気−熱媒体熱交換器９１において一旦蒸発し、圧縮機９２で圧縮されて高温高圧の熱媒体Ａ１（気体）となり、熱媒体入口配管９４を介して熱媒体−水熱交換器１へ送られる。
【００２４】
熱媒体−水熱交換器１において、給湯回路用の被加熱液Ｗａによって熱を奪われた熱媒体Ａ３は、熱媒体出口配管９５を介して膨張弁９３へ送られ、膨張弁９３で減圧されて再び液体の熱媒体Ａとなる。
液体となった熱媒体Ａは、空気−熱媒体熱交換器９１に戻され、外気の熱を吸収して、上記の冷熱サイクルを繰り返す。
【００２５】
図１のように、暖房給湯装置１００が給湯用途に供される場合には、被加熱液入口配管９６ａを介して熱媒体−水熱交換器１へ送り込まれた被加熱液（水）Ｗａは、被加熱液流路１２ａを通過しながら、熱媒体流路１１内の熱媒体Ａ２からの熱を受けて加温され、被加熱液出口配管９７ａから流出する。
一方、被加熱液入口配管９６ｂおよび被加熱液出口配管９７ｂが接続された部位は、熱媒体流路１１によって塞がれているので、被加熱液流路１２ｂが形成されず、暖房回路用の被加熱液（湯）Ｗｂは流通しない。
【００２６】
続いて、図２において、暖房給湯装置１００が暖房用途に供される場合には、熱媒体流路１１が流路１２内を移動し（破線矢印参照）、被加熱液入口配管９６ｂおよび被加熱液出口配管９７ｂが接続された暖房回路用の被加熱液流路１２ｂが形成される。
この場合、被加熱液流路１２ａは、熱媒体流路１１によって塞がれるので、被加熱液入口配管９６ａおよび被加熱液出口配管９７ａに給湯回路用の被加熱液（水、湯）は流通しない。
【００２７】
次に、図１、図２とともに、図３を参照しながら、熱媒体流路１１が流路１２内を移動するときの動作について、さらに詳細に説明する。
図３は図１、図２内のＢ−Ｂ線による断面図であり、流路１２内の熱媒体流路１１の動作をステップＳ１〜Ｓ６により段階的に示している。なお、図３においては、−Ｘ方向が重力方向とする。なお、図３の動作は、前述のコントローラ（図示せず）の制御下で実行される。
【００２８】
図３において、まず、給湯回路が起動した状態（ステップＳ１）にあり、被加熱液入口配管９６ａおよび被加熱液出口配管９７ａに接続された被加熱液流路１２ａが形成されているものとする。
ステップＳ１の状態から、暖房回路を起動させる場合には、まず、被加熱液流路１２ａ内の被加熱液Ｗａを抜き取る（ステップＳ２）。
これにより、被加熱液Ｗａの液面が下がるが、この段階では、熱媒体流路１１は、流路１２の内壁に密着しており、ステップＳ１における初期位置のままである。
【００２９】
続いて、被加熱液Ｗａが空になった状態（ステップＳ３）で、圧縮機９２を停止させて、熱媒体流路１１内の熱媒体Ａ２の温度を低下させる。これにより熱媒体流路１１の体積がわずかに減少し、流路１２の内壁との密着性が失われて、熱媒体流路１１は下（−Ｘ方向）に落ちる（ステップＳ４）。
ここで、熱媒体流路１１は、熱膨張率の大きい材料（たとえば、アルミニウム）で構成されているものとする。
【００３０】
次に、圧縮機９２を再起動して、熱媒体流路１１内の熱媒体Ａ２の温度を上昇させることにより、熱媒体流路１１を熱膨張させて、熱媒体流路１１と流路１２の内壁との密着性を復活させる（ステップＳ５）。
これにより、流路１２内の上半分には、被加熱液入口配管９６ｂおよび被加熱液出口配管９７ｂが接続された被加熱液流路１２ｂが確保されて、暖房回路用の被加熱液Ｗｂの流通が可能となる。
【００３１】
最後に、流路１２の天地を反転させ、流路１２内の熱媒体流路１１の位置関係を初期段階（ステップＳ１）と同様にして、被加熱液Ｗｂの通水を開始する（ステップＳ６）。これにより、暖房回路が起動される。
【００３２】
以上のように、この発明の実施の形態１に係る熱交換器は、熱媒体Ａ２が流通するとともに、給湯回路用の被加熱液Ｗａ（第１の被加熱液）または暖房回路用の被加熱液Ｗｂ（第２の被加熱液）が択一的に流通する熱交換器であって、被加熱液Ｗａが流通するための被加熱液流路１２ａ（第１の部屋）と、被加熱液流路１２ａに隣り合うように設けられ被加熱液Ｗｂが流通するための被加熱液流路１２ｂ（第２の部屋）と、被加熱液流路１２ａ、１２ｂの一方のみを塞ぐ大きさを有し熱媒体Ａ２が流通する可動式の熱媒体流路１１（冷媒回路）とを備えている。
熱媒体流路１１は、被加熱液流路１２ａ、１２ｂを行き来することにより、一方の被加熱液流路（部屋）を塞いで、他方の被加熱液流路（部屋）のみを有効化する。
【００３３】
具体的には、被加熱液流路１２ａは、給湯回路用の被加熱液Ｗａを流入および流出する被加熱液入口配管９６ａおよび被加熱液出口配管９７ａ（第１の出入口）を有し、被加熱液流路１２ｂは、暖房回路用の被加熱液Ｗｂを流入および流出する被加熱液入口配管９６ｂおよび被加熱液出口配管９７ｂ（第２の出入口）を有する。
冷媒回路は、熱媒体Ａ２が流通する熱媒体流路１１を有し、被加熱液流路１２ａ、１２ｂの一方を塞いだ場合に、第１または第２の出入口の一方を塞ぐとともに、第１または第２の出入口の他方を開放する。
また、冷媒回路は、第１および第２の部屋の天地が反転されることにより、第１または第２の部屋の一方を択一的に有効化するようになっている。
【００３４】
これにより、給湯回路が起動しているときには暖房回路が閉塞され、また、暖房回路が起動しているときには給湯回路が閉塞されるので、１つの熱媒体Ａ２（熱源）で複数の回路への熱伝達が可能であり、かつ、一方の回路が停止したときの過熱を防止することができる。
【００３５】
また、暖房用回路は、一般的に閉ループとなっており、不凍液や防錆剤が添加される場合が多いが、この発明の実施の形態１によれば、複数回路の一方のみが択一的に有効化されるので、暖房回路の被加熱液（湯）が給湯回路に混入することはない。
【００３６】
実施の形態２．
なお、上記実施の形態１では、熱媒体−水熱交換器１において、直方体の流路１２を適用した場合について説明したが、たとえば図４のように、円板積層型の熱交換器を適用してもよい。
図４はこの発明の実施の形態２に係る円板積層型の熱交換器を概略的に示す平面図およびＣ−Ｃ線による側断面図である。
【００３７】
図４において、熱媒体Ａ２が流通される半円型の熱媒体流路１１１、１１２、１１３、１１４は、円板１３１、１３２、１３３、１３４と交互に積層され、円筒型の筐体１５の中に納められている。
また、筐体１５の内壁と、熱媒体流路１１１〜１１４と、円板１３１〜１３４とによって囲まれた各部屋は、給湯回路用の被加熱液Ｗａを流通させる被加熱液流路１２１ａ、１２２ｂ、１２３ａ、１２４ｂを形成している。
【００３８】
熱媒体流路１１１と隣り合う被加熱液流路１２１ａの下には、円板１３１を介して熱媒体流路１１２が設けられ、熱媒体流路１１２と隣り合う被加熱液流路１２２ｂの下には、円板１３２を介して熱媒体流路１１３が設けられ、熱媒体流路１１３と隣り合う被加熱液流路１２３ａの下には、円板１３３を介して熱媒体流路１１４が設けられている。
【００３９】
また、被加熱液流路１２２ｂの上には、円板１３１を介して熱媒体流路１１１が設けられ、被加熱液流路１２３ａの上には、円板１３２を介して熱媒体流路１１２が設けられ、熱媒体流路１１４と隣り合う被加熱液流路１２４ｂの上には、円板１３３を介して熱媒体流路１１３が設けられている。
【００４０】
すなわち、それぞれの被加熱液流路１２１ａ、１２２ｂ、１２３ａ、１２４ｂは、円板１３１〜１３３を介して、上下方向に接触している熱媒体流路１１１〜１１４との間で、主として熱交換を行う構造を有している。
さらに、半円型の熱媒体流路１１１〜１１４および円板１３１〜１３４の中心には、軸１４３が貫通しており、熱媒体流路１１１〜１１４は、それぞれ軸１４３を中心として、円板１３１〜１３４上を回転できるように構成されている。
【００４１】
また、図４内の平面図に示すように、熱媒体流路１１１の内部には内壁１４２が設けられており、半円型の熱媒体流路１１１の直径側（弦側）の内壁１１１ａとともに、熱媒体Ａ２を１１１へ導くための流路１４２ａと、熱媒体流路１１１内での熱交換を終えた熱媒体Ａ２を、次の熱媒体流路１１２へ導くための流路１４２ｂとを構成している。
【００４２】
各流路１４２ａ、１４２ｂは、壁１４４によって仕切られている。
なお、図４では、代表的に最上段の熱媒体流路１１１の構造のみを示しているが、熱媒体流路１１２〜１１４の内部も、熱媒体流路１１１と同様の構造を有する。
【００４３】
ここで、図５を参照しながら、流路１４２ａ、１４２ｂの詳細構造について説明する。
図５は被加熱液流路１２１ａおよび熱媒体流路１１１の平面図およびＤ−Ｄ線による断面図であり、前述（図４参照）と同様のものについては、前述と同一符号を付して詳述を省略する。図５内の断面図においては、熱媒体流路１１１内に設けられた流路１４２ａ、流路１４２ｂの構成を具体的に示している。
【００４４】
図５内の断面図に示すように、流路１４２ａの入口には、開口部１４５が設けられており、開口部１４５は、軸１４３を中心とする円形形状を有する。
また、流路１４２ｂの出口には、開口部１４６が設けられており、開口部１４６は、軸１４３を中心とする円形形状を有する。開口部１４５、１４６は、互いにちょうど重なるような大きさおよび位置関係を有する。
【００４５】
図４に戻り、被加熱液流路１２１ａの底面を構成する円板１３１上には、被加熱液流路１２１ａ内での熱交換を終えた被加熱液Ｗａを、次の被加熱液流路１２２ｂへ導くための開口部１３１ａが設けられている。
【００４６】
ここで、図６を参照しながら、円板１３１および開口部１３１ａの詳細構造について説明する。
図６は被加熱液流路１２１ａおよび熱媒体流路１１１の平面図およびＣ−Ｃ線による断面図であり、図６内の断面図においては、円板１３１および１３１に設けられた開口部の構成を具体的に示している。
【００４７】
図６において、円板１３１には、被加熱液流路１２１ａ内での熱交換を終えた被加熱液Ｗａを、次の被加熱液流路１２２ｂへ導くための開口部１３１ａを含めて、第１〜第４の開口部１３１ａ、１３１ｂ、１３１ｃ、１３１ｄが設けられている。
【００４８】
第２の開口部１３１ｂは、開口部１３１ａが設けられた面の裏面上であって、被加熱液流路１１１の直径部分を介して開口部１３１ａとは逆の位置、すなわち次の被加熱液流路１２２ｂへ被加熱液を導ける位置に設けられている。開口部１３１ａおよび１３１ｂは、図６内の断面図に示すように、円板１３１内で導通している。
【００４９】
第３の開口部１３１ｃは、開口部１３１ａと同じ側の面上であって、軸１４３を介して開口部１３１ａと点対称な位置に設けられている。
また、第４の開口部１３１ｄは、開口部１３１ｃが設けられた面の裏面上であって、被加熱液流路１１１の直径部分を介して開口部１３１ｃとは逆の位置に設けられている。
【００５０】
開口部１３１ａおよび１３１ｂの関係と同様に、開口部１３１ｃおよび１３１ｄは、円板１３１内で導通している。
ただし、図６の状態では、開口部１３１ｃは、熱媒体流路１１１で塞がれており、開口部１３１ｄは、熱媒体流路１１２で塞がれており、いずれも被加熱液Ｗａを流通させることはない。
【００５１】
なお、図４においては、被加熱液流路１２１ａ、１２２ｂ、１２３ａ、１２４ｂと、熱媒体流路１１１〜１１４とが、４段に積層されている例を示したが、積層数は４段に限定されるものではなく、任意の段数に設定され得る。
【００５２】
次に、図４〜図６とともに、図７〜図９を参照しながら、この発明の実施の形態２による円板積層型の熱交換器の動作について説明する。
図７は熱媒体Ａ２の動きを示す平面図およびＣ−Ｃ線による断面図であり、図４内の熱媒体流路１１１〜１１４に熱媒体Ａ２の動き（一点鎖線矢印）を書き入れて示している。図７内の構成要素は、前述（図４参照）と同様である。
【００５３】
まず、図７および図５を参照しながら、熱媒体Ａ２の動きについて説明する。
流路１４２ａの入口である開口部１４５（図５参照）から導入された熱媒体Ａ２は、流路１４２ａを通って熱媒体流路１１１の全体を通過した後、流路１４２ｂへ集められ、開口部１４６（図５参照）から次の熱媒体流路１１２へ導かれる。
以下、同様にして、熱媒体Ａ２は、熱媒体流路１１２から、熱媒体流路１１３、１１４を通過していく。
【００５４】
一方、図８は給湯回路用の被加熱液Ｗａの動きを示す平面図およびＣ−Ｃ線による断面図であり、図４内の被加熱液流路１２１ａ、１２２ｂ、１２３ａ、１２４ｂに被加熱液Ｗａの動き（破線矢印）を書き入れて示している。
【００５５】
次に、図８および図６を参照しながら、被加熱液Ｗａの動きについて説明する。
被加熱液流路１２１ａへ導かれた被加熱液Ｗａは、被加熱液流路１２１ａの全体を通過した後、開口部１３１ａから、開口部１３１ａに導通している開口部１３１ｂ（図６参照）を通って被加熱液流路１２２ｂへ移動する。
【００５６】
以下、同様にして、被加熱液Ｗａは、被加熱液流路１２２ｂから、被加熱液流路１２３ａ、１２４ｂを通過していく。
すなわち、他の被加熱液流路１２２ｂ、１２３ａ、１２４ｂの蓋面構造は、被加熱液流路１２１ａの蓋面構造と同様であり、被加熱液Ｗａは、各被加熱液流路の蓋面を構成している円板１３１に設けられた開口部から順次に導かれる。
【００５７】
以上の熱媒体Ａ２および被加熱液Ｗａの動作により、給湯回路用の被加熱液Ｗａは、円板１３１〜１３３を介して被加熱液流路１２１ａ、１２２ｂ、１２３ａ、１２４ｂと接触している熱媒体流路１１１〜１１４中の熱媒体Ａ２からの熱を得て、加熱されていく。
【００５８】
図９は筐体１５内に暖房回路用の被加熱液流路１２１ｂ、１２２ａ、１２３ｂ、１２４ａが形成された状態を示す平面図およびＥ−Ｅ線による断面図である。
図９においては、図４の状態から熱媒体流路１１１〜１１４を軸１４３のまわりに半回転させて、給湯回路用の被加熱液流路１２１ａ、１２２ｂ、１２３ａ、１２４ｂに代わって、暖房回路用の被加熱液流路１２１ｂ、１２２ａ、１２３ｂ、１２４ａが現れた状態を示している。
【００５９】
すなわち、図９内の平面図に示すように、円板１３１上において、図４では被加熱液流路１２１ａだったスペースは、熱媒体流路１１１により埋められて（塞がれて）無効化され、反対側の被加熱液流路１２１ｂが現れ（有効化され）ている。また、図４では被加熱液流路１２１ａによって塞がれていた開口部１３１ｃは、図９では現れ（開口され）ている。
被加熱液流路１２２ａ、１２３ｂ、１２４ａについても、被加熱液流路１２１ｂと同様であり、開口部１３１ｃと貫通している開口部１３１ｄ（図６参照）も現れ、暖房回路用の被加熱液Ｗｂが流通するようになっている。
【００６０】
これにより、被加熱液流路１２１ｂへ導かれた暖房回路用の被加熱液Ｗｂは、流路全体を通過した後、開口部１３１ｃから、開口部１３１ｃに導通している開口部１３１ｄを通って被加熱液流路１２２ａへ移動する。
以下、同様に、被加熱液Ｗｂは、被加熱液流路１２３ｂ、１２４ｃを通過していく。この間、暖房回路用の被加熱液Ｗｂは、円板１３１〜１３３を介して被加熱液流路１２１ｂ、１２２ａ、１２３ｂ、１２４ａと接触している熱媒体流路１１１〜１１４中の熱媒体Ａ２からの熱を得て、加熱されていく。
【００６１】
以上のように、この発明の実施の形態２によれば、前述の実施の形態１と同様に、給湯回路が起動しているときには暖房回路が閉塞し、逆に暖房回路が起動しているときには給湯回路が閉塞しているので、１つの熱源で複数回路への熱伝達が可能でありつつ、一方の回路が停止したときの過熱を防止することができる。
【００６２】
また、暖房用回路は、一般的に、閉ループとなっており、不凍液や防錆剤が添加される場合が多いが、この発明の実施の形態２によれば、複数回路の一方のみが択一的に有効化されるので、暖房回路の被加熱液（湯）が給湯回路に混入することはない。
【００６３】
なお、上記実施の形態１、２では、給湯回路と暖房回路とを切り替える場合に適用した例について説明したが、用途はこれに限定するものではなく、たとえば給湯回路と風呂回路とを切り替える場合に適用してもよく、前述と同様の作用効果を奏することは言うまでもない。
【図面の簡単な説明】
【００６４】
【図１】この発明の実施の形態１に係る熱交換器を暖房給湯装置とともに概略的に示すブロック構成図である。
【図２】図１の状態から熱交換器を切り替えた場合を示すブロック構成図である。
【図３】この発明の実施の形態１による熱媒体流路の動作を示す図１、図２内のＢ−Ｂ線による断面図である。
【図４】この発明の実施の形態２に係る熱交換器の構成を概略的に示す平面図およびＣ−Ｃ線による断面図である。
【図５】図４内の最上段の熱媒体流路の構成を示す平面図およびＤ−Ｄ線による断面図である。
【図６】図４内の最上段の熱媒体流路に接する円板の構成を示す平面図およびＣ−Ｃ線による断面図である。
【図７】図４内の熱媒体の動きを一点鎖線矢印で示す平面図およびＣ−Ｃ線による断面図である。
【図８】図４内の被加熱液の動きを破線矢印で示す平面図およびＣ−Ｃ線による断面図である。
【図９】図４の状態から熱交換器を切り替えた場合を示す平面図およびＥ−Ｅ線による断面図である。
【符号の説明】
【００６５】
１  熱媒体−水熱交換器（熱交換器）、１１、１１１〜１１４  熱媒体流路、１２ａ、１２１ａ、１２２ｂ、１２３ａ、１２４ｂ  被加熱液流路（第１の部屋）、１２ｂ、１２１ｂ、１２２ａ、１２３ｂ、１２４ａ  被加熱液流路（第２の部屋）、９１  空気−熱媒体熱交換器、９２  圧縮機、９３  膨張弁、９４  熱媒体入口配管、９５  熱媒体出口配管、９６ａ  被加熱液入口配管、９６ｂ  被加熱液入口配管、９７ａ  被加熱液出口配管、９７ｂ  被加熱液出口配管、１３１ａ、１３１ｂ、１３１ｃ、１３１ｄ  開口部、Ａ２  熱媒体、Ｗａ  給湯回路用の被加熱液（第１の被加熱液）、Ｗｂ  暖房回路用の被加熱液（第２の被加熱液）。
【図１】
2010038485.tif 000003
【図２】
2010038485.tif 000004
【図３】
2010038485.tif 000005
【図４】
2010038485.tif 000006
【図５】
2010038485.tif 000007
【図６】
2010038485.tif 000008
【図７】
2010038485.tif 000009
【図８】
2010038485.tif 000010
【図９】
2010038485.tif 000011